(57)【要約】【課題】　ゲートゲート（いわゆる扉）およびフレームの下枠をこれらの左右中間部にて２つ折りに可能に構成することにより、梱包、運輸時におけるコンパクト化と、使い勝手との両立を図ることができるベビーゲートの提供を目的とする。【解決手段】　　左右の支柱１２，１３と下枠１１とを凹状に組合わせたフレーム１に、ゲート２を開閉可能に枢支したベビーゲートであって、上記ゲート２および下枠１１をこれらの左右中間部にて２つ折り可能に構成したことを特徴とする。【選択図】　図１　
2004130121.tif 000002
【特許請求の範囲】
【請求項１】
　左右の支柱と下枠とを凹状に、組合わせたフレームに、ゲートを開閉可能に枢支したベビーゲートであって、
上記ゲートおよび下枠をこれらの左右中間部にて２つ折り可能に構成した
ベビーゲート。
【請求項２】
　上記ゲートは左ゲートと右ゲートとに分割され、
連結手段にて左右の各ゲートが一体化される
請求項１記載のベビーゲート。
【請求項３】
　上記左ゲートと右ゲートのうちの一方のゲートは対向する支柱に上方移動可能に枢支され、
他方のゲートに突設された少なくとも１つのロックピンは対向する支柱の少なくとも１つの凹溝に上方移動可能に嵌合され、
一体化されたゲートを該ゲートの自重に抗して上方移動させ、ロックピンを凹溝から外した時に、ゲートの開放を許容すべく構成した
請求項２記載のベビーゲート。
【請求項４】
　上記凹溝が設けられた側の支柱には、ゲートの自由端をアンロック可能にロックするロック部材が設けられた
請求項３記載のベビーゲート。
【発明の詳細な説明】
【技術分野】
【０００１】
　この発明は、乳幼児の通行を阻止することで、乳幼児を保護するようなベビーゲートに関する。
【背景技術】
【０００２】
　従来、上述例のベビーゲートとしては、フレームに対して合成樹脂の一枚物から成る扉を開閉可能に枢支したもの（特許文献1参照）と、フレームに対してフィルム状の扉を開閉可能に取付けたものとがある。
【０００３】
　前者の合成樹脂の一枚物から成る扉を備えたベビーゲートは、一枚物の扉が一体で開閉するため、使い勝手がよい反面、コンパクト化が不可能な構造である関係上、梱包および運輸時に嵩張る問題点があった。
【０００４】
　一方、後者のフィルム状の扉を備えたベビーゲートは、梱包および運輸時においてフィルム状の扉を巻回して、コンパクトに成すことができる反面、一枚物の扉のような使用形態が得られないので、扉開閉に際しての使い勝手が悪い問題点があった。
【０００５】
【特許文献１】特開平１０−１４７１９号公報
【発明の開示】
【発明が解決しようとする課題】
【０００６】
　そこで、この発明は、ゲート（いわゆる扉）およびフレームの下枠をこれらの左右中間部にて２つ折りに可能に構成することにより、梱包、運輸時におけるコンパクト化と、使い勝手との両立を図ることができるベビーゲートの提供を目的とする。
【課題を解決するための手段】
【０００７】
　この発明によるベビーゲートは、　
　左右の支柱と下枠とを凹状に組合わせたフレームに、ゲートを開閉可能に枢支したベビーゲートであって、　
上記ゲートおよび下枠をこれらの左右中間部にて２つ折り可能に構成したものである。
【０００８】
　上記構成によれば、ゲートおよび下枠を２つ折り可能に構成したので、梱包、運輸時にはこれら２つ折りにしてコンパクト化を図ることができ、また使用時にはゲートおよび下枠を２つ折り前の状態に戻し、ゲートを一枚物の扉のように開閉することができるので、使い勝手もよい。つまり、梱包、運輸時のコンパクト化と、使い勝手との両立を図ることができる。
【０００９】
　この発明の一実施態様においては、　
上記ゲートは左ゲートと右ゲートとに分割され、　
連結手段にて左右の各ゲートが一体化されるものである。
【００１０】
　上記構成によれば２つ折りに際して、連結手段の操作にてゲートを左ゲートと右ゲートとに分割できる共に、使用に際して上述の連結手段により分割された左右のゲートを一枚物のゲートに一体化することができる。
【００１１】
　この発明の一実施態様においては、　
上記左ゲートと右ゲートのうちの一方のゲートは対向する支柱に上方移動可能に枢支され、他方のゲートに突設された少なくとも１つのロックピンは対向する支柱の少なくとも１つの凹溝に上方移動可能に嵌合され、　
一体化されたゲートを該ゲートの自重に抗して上方移動させ、ロックピンを凹溝から外した時に、ゲートの開放を許容すべく構成したものである。
【００１２】
　上記構成によれば、一体化されたゲートをその自重に抗して上方移動させない限り、ロックピンが凹溝から外れることはないので、安全性の向上を図ることができる。
【００１３】
　この発明の一実施態様においては、　
上記凹溝が設けられた側の支柱には、ゲートの自由端をアンロック可能にロックするロック部材が設けられたものである。
【００１４】
　上記構成によれば、上述のロック部材でゲートの自由端をロックして、一体化されたゲートの開放を規制するので、安全性をさらに向上させることができる。
【発明の効果】
【００１５】
　この発明によれば、ゲート（いわゆる扉）およびフレームの下枠をこれらの左右中間部にて２つ折り可能にしたので、梱包、運輸時におけるコンパクト化と、使い勝手との両立を図ることができる効果がある。
【発明を実施するための最良の形態】
【００１６】
　梱包、運輸時におけるコンパクト化と、使い勝手との両立を図るという目的を、ゲートおよびフレームの下枠をこれらの左右中間部にて２つ折り可能に構成することで実現した。
【実施例】
【００１７】
　この発明の一実施例を以下図面に基づいて詳述する。　
　図面はベビーゲートを示し、斜視図で示す図１、正面図で示す図２、分解斜視図で示す図３において、このベビーゲートは正面視で凹状のフレーム１と、両開き可能なゲート（いわゆる扉）２とを備えている。
【００１８】
　上述のフレーム１は水平または略水平に配設される下枠１１と、上下方向に指向して配設される左右の支柱１２，１３とを備え、下枠１１の左右両側上部には凸部１１１，１１２を一体形成して、これら各凸部１１１，１１２の上端部に上述の支柱１２，１３をピン連結して、左右の支柱１２，１３と下枠１１とを正面視凹状に組合わせたフレーム１を構成している。このフレーム１は室内の所定箇所に固定して用いられるものである。
【００１９】
　ここで、上述の下枠１１における左側支柱１２に近接する左側上部には軸孔１１３を形成している。また下枠１１における右側の凸部１１２内側面には部材を取付けて凹溝１１４（図２参照）を形成している。　
　上述の左側支柱１２の上端部にはブラケット１２２（詳しくは樹脂ブラケット）を装着し、このブラケット１２２を左側支柱１２の上端部にピン連結している。また、このブラケット１２２は所定量ゲート２側へ突出するもので、その突出部分には切欠き形状の凹状部１２１と、軸孔１２３とを形成し、この軸孔１２３と下枠１１側の軸孔１１３とが上下方向に一致するように構成している。
【００２０】
　上述の右側支柱１３の上端部にはブラケット１３１（詳しくは樹脂ブラケット）を装着し、このブラケット１３１を右側支柱１３の上端部にボルト３、ナット４（図４参照）を用いて締付け固定している。
【００２１】
　しかも、上述のゲート２および下枠１１をこれらの左右中間部（この実施例では左右中央部）にて２つ折り可能に構成している。つまりゲート２および下枠１１を上下方向に延びる一直線状の分割ライン５，６にて２つ折りができるように構成したものである。
【００２２】
　このゲート２の２つ折りを可能とするために該ゲート２は左ゲート２１（いわゆる左側扉）と右ゲート２２（いわゆる右側扉）とに分割され、これら左右のゲート２１，２２を図３に示す連結手段としての連結部材２１９とナット部材２２９とを用いて連結および分離すベく構成し、連結時には左右のゲート２１，２２を一枚物の扉のように一体化すべく構成している。
【００２３】
　また、左ゲート２１と右ゲート２２には分割ライン５に対応して上下方向に延びる嵌合凹部２１５，２２６が形成されると共に、図３に示すように左ゲート２１には嵌合凹部２１５に対応して、凹部２１６とこの凹部２１６に連続する孔部２１７とが上下に複数形成され、右ゲート２２には嵌合凹部２２６に対応して孔部２２７が上下に複数形成され、右ゲート２２側の孔部２２７と左ゲート２１側の孔部２１７とがそれぞれ一致するように構成されている。
【００２４】
　そして左ゲート２１と右ゲート２２の各嵌合凹部２１５，２２６を当接して、孔部２１７，２２７を一致させた後に、ナット部材２２９のネジ孔２２８に連結部材２１９のネジ部２１８を螺合させて締付けると、左右のゲート２１，２２が連結されて一体化され、各ゲート２１，２２の表裏がそれぞれ面一状になるように構成している。
【００２５】
　ところで、左ゲート２１の支柱１２側の上下両部には凸状部材２１１，２１２を介して支軸２１３，２１４を設けている。これら上下の支軸２１３，２１４の軸芯線は上下方向に一致するもので、これらの各支軸２１３，２１４をフレーム１側の軸孔１２３，１１３に挿入して、左ゲート２１をフレーム１に対して上方移動可能に枢支している。
【００２６】
　また右ゲート２２の支柱１３側の上部には図３，図４に示すように平面視コ字状のブラケット２２１を固定し、このブラケット２２１の支柱１３対向面上部には一対の係止孔２２３を設けると共に、該ブラケット２２１の支柱１３対向面下部には上部ロックピン２２４を突設している。ここで、上述の係止孔２２３は図４にも示す如くブラケット２２１および右ゲート２２の端部に連続して設けてもよい。
【００２７】
　さらに、右ゲート２２の支柱１３側の下部には凸状部材２２２を介して支柱１３側へ突出する下部ロックピン２２５を設けている。　
　上述の下部ロックピン２２５は支柱１３側の凹溝１１４（図２参照）に上方移動可能に嵌合され、上部ロックピン２２４は支柱１３上端部に取付けられたブラケット１３１の凹溝１３ｃ（図４参照）に上方移動可能に嵌合され、図２に示す状態の一体化されたゲート２１，２２を該ゲート２１，２２の自重に抗して上方移動させ、図５に示すように、上下の各ロックピン２２４，２２５を凹溝１３ｃ，１１４から外した時に、はじめて、一体化されたゲート２１，２２の開放を許容すべく構成している。
【００２８】
　次に、図４、図６、図７を参照して、ゲート２の自由端つまり右ゲート２２の端部をアンロック可能にロックするロック機構の構成について説明する。　
　上述のブラケット１３１は中空構造に形成されていて、右ゲート２２の端部と対向する部分には開口部１３ｂ，１３ｂを形成し、この開口部１３ｂ，１３ｂの下方部には切欠き部１３ｄを形成している。
【００２９】
　この切欠き部１３ｄは外方が低く、内方が高くなる円弧状に形成され、円弧状の頂点部に対応して該頂点部から下方に窪むように前述の凹溝１３ｃを形成し、右ゲート２２側の上部ロックピン２２４を該凹溝１３ｃに係入する際、上部ロックピン２２４が切欠き部１３ｄの円弧面に沿って移動した後に、円弧面の頂点部から凹溝１３ｃに落ち込んで該凹溝１３ｃに係入されるように構成している。
【００３０】
　また上述の開口部１３ｂに対応してブラケット１３１の中空部には上下のガイト部材７，８を固定し、これら上下のガイド部材７，８に沿って内外方向に横移動するロック部材としてのスライダ１３０を設けている。
【００３１】
　このスライダ１３０はその基部に上下方向に長い長孔１３ａを有すると共に、その先端部にはブラケット１３１の開口部１３ｂ，１３ｂを介して右ゲート２２側のブラケット２２１の係止孔２２３に係入される係止爪１３９，１３９を有するものである。
【００３２】
　上述のスライダ１３０をロック操作およびアンロック操作するために、ブラケット１３１には操作ツマミとしてのノブ１３６が設けられる。　
　このノブ１３６は円形のノブ本体の周面にフランジ部１３５が一体形成されると共に、中心軸１３７と、中心から離間した位置（つまり偏心位置）に設けられた操作ピン１３８とを備えている。
【００３３】
　そして、このノブ１３６を取付けるブラケット１３１側には中心軸孔１３３と、リング状の凹部１３２と、位置規制用の円弧孔１３４とが設けられていて、ノブ１３６の中心軸１３７を中心軸孔１３３に挿入すると共に、ノブ１３６の操作ピン１３８を円弧孔１３４を介してスライダ１３０の長孔１３ａに挿入し、かつ固定ネジ１３ｅにより中心軸１３７を回動可能に取付けたものである。
【００３４】
　上述のノブ１３６は位置規制用の円弧孔１３４により、その回動範囲が規制されていて、この回動範囲内においてノブ１３６を図６の矢印方向（アンロック方向）に回動操作すると、スライダ１３０の長孔１３ａに挿入された操作ピン１３８により該スライダ１３０が同図に示す如く後退して、ゲート２の自由端をアンロック（ロック解除）する。
【００３５】
　逆に、ノブ１３ｂを図７の矢印方向（ロック方向）に回動操作すると、操作ピン１３８によりスライダ１３０が同図に示す如く前進して、該スライダ１３０の係止爪１３９，１３９が開口部１３ｂ，１３ｂを介して右ゲート２２側の係止孔２２３，２２３に係入して、ゲート２の自由端をロックするように構成されていいる。
【００３６】
　このように構成したベビーゲートを組立てるには、下枠１１と左右の支柱１２，１３とが予め凹状に組合わせたフレーム１（但し、左右に分割された下枠１１，１１は図示しない取付け舌片にボルト９，９を締付けて固定される）に対して、予め連結部材２１９にて左右ゲート２１，２２が一体化されたゲート２を組付ける。
【００３７】
　つまり左ゲート２１側の支軸２１３，２１４を対向する支柱１２側の軸孔１２３，１１３内に回動可能かつ上方移動可能に挿入した後に、ゲート２をゲート開放状態からゲート閉塞状態に閉成すると、右ゲート２２側の上部ロックピン２２４が円弧状の切欠き部１３ｄに沿ってゲート２をともなって上動した後に、切欠き部１３ｄの頂点部から凹溝１３ｃに落ち込み、これと同時に下側のロックピン２２５も凹溝１１４内に挿入されるので、ベビーゲートを図１、図２に示すように組立てることができる。
【００３８】
　なお、使用に際してはフレーム１は室内等の所定の場所に固定されるものである。　
　上述の支軸２１３，２１４を支点として両開き可能なゲート２は必要に応じてロックまたはアンロックすることができる。つまり、図６に示すようにノブ１３６をアンロック方向に操作すると、スライダ１３０の係止爪１３９が後退するので、ゲート２を両開き可能な状態にアンロックすることができ、逆に図７に示すようにノブ１３６をロック方向に操作すると、スライダ１３０の係止爪１３９が前進して、係止孔２２３に係入されるので、ゲート２を開放不可な状態にロックすることができる。
【００３９】
　但し、ゲート２のアンロック時にはノブ１３６をアンロック方向に操作しただけではゲート２は開放しない。つまり、ゲート２を開放するには、まず、ノブ１３６をアンロック方向に操作して、スライダ１３０の係止爪１３９を後退させた後に、図５に矢印で示すようにゲート２をその自重に抗して上方へ持ち上げて、
上下のロックピン２２４，２２５を凹溝１３ｃ，１１４から外して始めて、ゲート２の両開き開放が許容されるので、充分な安全性を確保することができる。
【００４０】
　しかも、上述のベビーゲートを梱包、運輸時または不使用による収納に際して、コンパクトに成す場合には、複数の連結部材２１9による左ゲート２１と右ゲート２２との連結を解除すると共に、ボルト９による下枠１１の連結を解除すると、図８に示す如くゲート２および下枠１１をこれらの左右中間部の分割ライン５，６にて２つ折り状態に成すことができ、コンパクト化を図ることができる。
【００４１】
　すなわち、２つ折り状態と成す前のベビーゲートの幅をＡ、高さをＢとする時（図１参照）、２つ折り後のベビーゲートの幅は１／２Ａ、高さはＢとなる（図８参照）。
【００４２】
　このように上記実施例のベビーゲートは、　
左右の支柱１２，１３と下枠１１とを凹状に組合わせたフレーム１に、ゲート２を開閉可能に枢支したベビーゲートであって、　
上記ゲート２および下枠１１をこれらの左右中間部にて２つ折り可能に構成したものである。
【００４３】
　この構成によれば、ゲート２および下枠１１を２つ折り可能に構成したので、梱包、運輸時にはこれら２つ折りにしてコンパクト化を図ることができ、また使用時にはゲート２および下枠１１を２つ折り前の状態に戻し、ゲート２を一枚物の扉のように開閉することができるので、使い勝手もよい。つまり、梱包、運輸時のコンパクト化と、使い勝手との両立を図ることができる。
【００４４】
　また、上記ゲート２は左ゲート２１と右ゲート２２とに分割され、　
　連結手段（連結部材２１９参照）にて左右の各ゲート２１，２２が一体化されるものである。
【００４５】
　この構成によれば２つ折りに際して、連結手段（連結部材２１９参照）の操作にてゲート２を左ゲート２１と右ゲート２２とに分割できる共に、使用に際して上述の連結手段（連結部材２１９参照）により分割された左右のゲート２１，２２を一枚物のゲート２に一体化することができる。
【００４６】
　さらに、上記左ゲート２１と右ゲート２２のうちの一方のゲート（この実施例では左ゲート２１）は対向する支柱１２に上方移動可能に枢支され、他方のゲート（この実施例では右ゲート２２参照）に突設された少なくとも１つのロックピン２２４，２２５は対向する支柱１３の少なくとも１つの凹溝１３ｃ，１１４に上方移動可能に嵌合され、　
一体化されたゲート２を該ゲート２の自重に抗して上方移動させ、ロックピン２２４，２２５を凹溝１３ｃ，１１４から外した時にはじめて、ゲート２の開放を許容すべく構成したものである。
【００４７】
　この構成によれば、一体化されたゲート２をその自重に抗して上方移動させない限り、ロックピン２２４，２２５が凹溝１３ｃ，１１４から外れることはないので、安全性の向上を図ることができる。　
　加えて、上記凹溝１３ｃ，１１４が設けられた側の支柱１３には、ゲート２の自由端をアンロック可能にロックするロック部材（スライダ１３０参照）が設けられたものである。
【００４８】
　この構成によれば、上述のロック部材（スライダ１３０参照）でゲート２の自由端をロックして、一体化されたゲート２の開放を規制するので、安全性をさらに向上させることができる。
【００４９】
　この発明の構成と、上述の実施例との対応において、　
この発明の連結手段は実施例の連結部材２１９に対応し、　
以下同様に、　
ロック部材は、スライダ１３０に対応するも、　
この発明は、上述の実施例の構成のみに限定されるものではない。
【図面の簡単な説明】
【００５０】
【図１】本発明のベビーゲートを示す斜視図。
【図２】ベビーゲートの正面図。
【図３】ベビーゲートの分解斜視図。
【図４】ロック機構部分の分解斜視図。
【図５】アンロック時の正面図。
【図６】スライダのアンロック状態を示す断面図。
【図７】スライダによるロック状態を示す断面図。
【図８】ベビーゲートの２つ折り状態を示す斜視図。
【符号の説明】
【００５１】
　１…フレーム
　１１…下枠
　１２，１３…支柱
　１３ｃ，１１４…凹溝
　１３０…スライダ（ロック部材）
　２…ゲート
　２１…左ゲート
　２２…右ゲート
　２１９…連結部材（連結手段）
　２２４，２２５…ロックピン
【図１】
2004130121.tif 000003
【図２】
2004130121.tif 000004
【図３】
2004130121.tif 000005
【図４】
2004130121.tif 000006
【図５】
2004130121.tif 000007
【図６】
2004130121.tif 000008
【図７】
2004130121.tif 000009
【図８】
2004130121.tif 000010